(57)【要約】  体液試料（例えば、全血試料）中の検体（グルコースなど）の判定のために分析検査ストリップと共に使用する検査計は、検査計ハウジングとストリップポートコネクタとを含む。検査計ハウジングは、分析検査ストリップを受容するように構成されたストリップポート開口部を備えた遠位端を有する。ストリップポートコネクタは、検査計ハウジングの遠位端と一体化され、分析検査ストリップガイドを備えた遠位部分を有する。分析検査ストリップガイドは、ストリップポート開口部に受容された分析検査ストリップが上部ガイド面によってガイド及び支持されるように構成された、上部ガイド面を有し、更に、ストリップポート開口部に流入する自由液体を、上部ガイド面から離れる方向に方向付け、かつ、かかる方向付けられた液体を、ストリップポートコネクタの遠位部分及び／又は検査計ハウジングの遠位端の中に捕捉するように構成された液体捕捉特徴部を有する。ストリップポートコネクタは、検査計ハウジング内に配置された近位部分を更に有し、この近位部分は、ストリップポート開口部に受容された分析検査ストリップと動作可能に電気的に接触するように構成された電気コネクタピンを有する。
2014514546.tif 000002
【特許請求の範囲】
【請求項１】
体液試料中の検体の判定のために分析検査ストリップと共に使用するための検査計であって、
ハウジング外側表面と遠位端とを有する検査計ハウジングであって、該ハウジング外側表面は、ストリップポート開口部が内部を通るハウジング遠位表面を有し、該ストリップポート開口部は分析検査ストリップを受容するように構成される、検査計ハウジングと、
前記検査計ハウジングの前記遠位端に組み込まれたストリップポートコネクタであって、
分析検査ストリップガイドを備える遠位部分であって、前記分析検査ストリップガイドが、
前記ストリップポート開口部に受容された分析検査ストリップを、案内及び支持するように構成される少なくとも１つの上部ガイド面と、
前記ストリップポートコネクタ開口部に流入する自由液体を、前記上部ガイド面から離れる方向に方向付け、かつ、かかる方向付けられた液体を、前記ストリップポートコネクタの前記遠位部分及び前記検査計ハウジングの前記遠位端の少なくとも一方の中に捕捉するように構成された、少なくとも１つの液体捕捉特徴部と、を含む、遠位部分と、
前記検査計ハウジング内に配置される近位部分であって、該近位部分は前記ストリップポート開口部内に受容され、かつ前記少なくとも１つの上部ガイド面によって支持される分析検査ストリップと動作可能に電気的に接触するように構成された少なくとも１つの電気コネクタピンを有する、近位部分と、を含む、ストリップポートコネクタと、を含む検査計。
【請求項２】
前記分析検査ストリップガイドが、前記少なくとも１つの上部ガイド面を有する少なくとも１つのガイドレールを含み、
前記少なくとも１つの液体捕捉特徴部が前記ガイドレールに隣接する間隙であり、該間隙は、前記ストリップポート開口部に流入する自由液体を、前記ガイドレールの前記上部ガイド面から離れる方向に方向付け、かつ、かかる方向付けられた液体を、前記ストリップポートコネクタの前記遠位部分及び前記検査計ハウジングの前記遠位端の少なくとも一方の中に捕捉するように構成される、請求項１に記載の検査計。
【請求項３】
前記分析検査ストリップガイドが、前記自由液体の前記方向付けを容易にするように構成された少なくとも１つの半球形突出部を更に含む、請求項２に記載の検査計。
【請求項４】
前記少なくとも１つの半球形突出部が、前記少なくとも１つのガイドレール上に配置される、請求項３に記載の検査計。
【請求項５】
前記分析検査ストリップガイドが、少なくとも１つの側壁を更に含む、請求項２に記載の検査計。
【請求項６】
前記間隙が、前記ガイドレールと前記側壁との間にある、請求項５に記載の検査計。
【請求項７】
前記ハウジング外側表面が平らな外側表面である、請求項１に記載の検査計。
【請求項８】
前記ハウジング外側表面が、前記ストリップポート開口部に受容された分析検査ストリップに対して鋭角で配置される、平坦傾斜ハウジング外側表面である、請求項７に記載の検査計。
【請求項９】
前記平坦傾斜ハウジング外側表面と、前記ストリップポート開口部との組み合わせが、開いた形状を有するストリップポート開口部を画成する、請求項８に記載の検査計。
【請求項１０】
前記液体捕捉特徴部が、前記ストリップポート開口部に流入する自由液体を、少なくとも毛細管力を用いて前記上部ガイド面から離れる方向に方向付けるように構成される、請求項１に記載の検査計。
【請求項１１】
前記液体捕捉特徴部が、前記ストリップポートコネクタ開口部に流入する自由液体を、少なくとも重力を用いて前記上部ガイド面から離れる方向に方向付けるように構成される、請求項１に記載の検査計。
【請求項１２】
前記検査計及び分析検査ストリップが、全血試料中のグルコースを判定するように構成される、請求項１に記載の検査計。
【請求項１３】
前記分析検査ストリップが、電気化学に基づく分析検査ストリップである、請求項１２に記載の検査計。
【請求項１４】
体液試料中の検体の判定において分析検査ストリップと共に使用するための検査計を利用するための方法であって、
液体の付いたストリップポート開口部を含む検査計をクリーニングすることであって、前記検査計が、前記検査計の検査計ハウジングの遠位端に組み込まれたストリップポートコネクタを有し、前記ストリップポートコネクタが、少なくとも１つの液体捕捉特徴部を有する分析検査ストリップガイドを含み、前記液体捕捉特徴部が、クリーニング中に前記ストリップポート開口部に流入する自由液体を、前記分析検査ストリップガイドの少なくとも１つの上部ガイド面から離れる方向に方向付け、かつかかる方向付けられた液体を、前記ストリップポートコネクタの遠位部分及び前記検査計ハウジングの前記遠位端の少なくとも一方の中に捕捉するように構成される、ことと、
前記ストリップポートコネクタに受容された分析検査ストリップを使用して体液試料中の検体を判定するために、前記検査計を利用することと、を含む方法。
【請求項１５】
前記ストリップポートコネクタの前記遠位部分が、前記分析検査ストリップガイドを備え、
前記ストリップポートコネクタが、前記検査計ハウジング内に配置される近位部分を更に含み、該近位部分が、前記ストリップポート開口部に受容された分析検査ストリップと動作可能に電気的に接触するように構成された少なくとも１つの電気コネクタピンを有し、
前記分析検査ストリップガイドの前記上部ガイド面が、前記ストリップポート開口部に受容された前記分析検査ストリップが、前記少なくとも１つの上部ガイド面によって案内及び支持されるように構成される、請求項１４に記載の方法。
【請求項１６】
前記分析検査ストリップガイドが、前記少なくとも１つの上部ガイド面を有する少なくとも１つのガイドレールを備え、
前記少なくとも１つの液体捕捉特徴部が、前記ガイドレールに隣接する間隙であり、該間隙は、前記ストリップポート開口部に流入する自由液体を、前記ガイドレールの前記上部ガイド面から離れる方向に方向付け、かつ、かかる方向付けられた液体を、前記ストリップポートコネクタの前記遠位部分及び前記検査計ハウジングの前記遠位端の少なくとも一方の中に捕捉するように構成される、請求項１５に記載の方法。
【請求項１７】
前記分析検査ストリップガイドが、前記自由液体の前記方向付けを容易にするように構成された少なくとも１つの半球形突出部を更に含む、請求項１５に記載の方法。
【請求項１８】
前記少なくとも１つの半球形突出部が、前記少なくとも１つのガイドレール上に配置される、請求項１７に記載の方法。
【請求項１９】
前記分析検査ストリップガイドが、少なくとも１つの側壁を更に含む、請求項１６に記載の方法。
【請求項２０】
前記間隙が、前記ガイドレールと前記側壁との間にある、請求項１９に記載の方法。
【発明の詳細な説明】
【技術分野】
【０００１】
本発明は、広くは、医療装置に関し、具体的には、分析検査ストリップと共に使用するための検査計及び関連する方法に関する。
【背景技術】
【０００２】
（関連技術の説明）
液体試料中の検体の判定（例えば、検出及び／又は濃度測定）は医療分野において特に関心が寄せられている。例えば、尿、血液、血漿、若しくは間質液等の体液試料中のグルコース、ケトン体、コレステロール、リポタンパク質類、トリグリセリド類、アセトアミノフェン、及び／又はＨｂＡ１ｃ凝縮類を判定することが望まれ得る。こうした判定は、分析検査ストリップを関連した検査計と共に使用することによって得ることができる。
【図面の簡単な説明】
【０００３】
本発明の新規特徴は、特に添付の特許請求の範囲に記載される。本発明の特徴及び利点は、次の、本発明の原理が利用される例示的な実施形態を記載する以下の発明を実施するための形態、並びに同様の数表示が同様の要素を示す添付の図面を参照することによって、より理解されるであろう。
【図１】本発明の実施形態による検査計の簡略斜視図である（分析検査ストリップがその中に受容された状態で示されている）。
【図２】図１の検査計の一部の簡略斜視図。
【図３】図１の検査計の一部の簡略斜視端面図。
【図４】図１の検査計に組み込まれたストリップポートコネクタの一部の簡略斜視図。
【図５】分析検査ストリップがその中に受容された状態の図１の検査計の一部の簡略断面側面図。
【図６Ａ】図１の検査計の分析検査ストリップガイドの、簡略上面図、（図６Ａの線Ａ−Ａに沿った）断面図、及び正面図。
【図６Ｂ】図１の検査計の分析検査ストリップガイドの、簡略上面図、（図６Ａの線Ａ−Ａに沿った）断面図、及び正面図。
【図６Ｃ】図１の検査計の分析検査ストリップガイドの、簡略上面図、（図６Ａの線Ａ−Ａに沿った）断面図、及び正面図。
【図７】本発明の実施形態による検査計で使用することができる分析検査ストリップガイドの簡略上面図。
【図８】本発明の実施形態による、体液試料中の検体の判定において分析検査ストリップと共に使用するための検査計を使用するための方法の段階を示すフローチャート。
【発明を実施するための形態】
【０００４】
以下の詳細な説明は、図面を参照しつつ読まれるべきもので、異なる図面中、同様の要素は同様の参照符号にて示してある。図面は、必ずしも実寸ではなく、あくまで説明を目的とした例示的な実施形態を図示したものであり、本発明の範囲を限定することを目的とするものではない。詳細な説明は本発明の原理を限定するものではなく、あくまでも例として説明するものである。この説明文は、当業者による発明の製造及び使用を明確に可能ならしめるものであり、出願時における発明を実施するための最良の形態と考えられるものを含む、発明の複数の実施形態、適応例、変形例、代替例、並びに使用例を述べるものである。
【０００５】
本明細書で任意の数値や数値の範囲について用いる「約」又は「およそ」という用語は、構成要素の部分又は構成要素の集合が、本明細書で述べるその所望の目的に沿って機能することを可能とするような適当な寸法の許容誤差を示すものである。
【０００６】
広くは、本発明に従って体液試料（例えば、全血試料）中の検体（グルコースなど）の判定のために分析検査ストリップと共に使用するための検査計は、検査計ハウジングとストリップポートコネクタとを含み、検査計ハウジングは、ハウジング外側表面と遠位端とを有する。更に、ハウジング外側表面は、ストリップポート開口部を備えたハウジング遠位表面を有する。ストリップポート開口部は、ハウジング遠位表面を通って延び、分析検査ストリップを受容するように構成される。ストリップポートコネクタは、検査計ハウジングの遠位端と一体化され、かつ遠位部分を有する。ストリップポートコネクタはまた、分析検査ストリップガイドを含む。
【０００７】
ストリップポートコネクタの分析検査ストリップガイドは、ストリップポート開口部に受容された分析検査ストリップが上部ガイド面によって案内及び支持されるように構成された、少なくとも１つの上部ガイド面を有し、更に、ストリップポートコネクタ開口部に意図せず流入する自由液体を上部ガイド面から離れる方向に方向付け、かつ、かかる方向付けられた液体を、ストリップポートコネクタの遠位部分の中及び／又は検査計ハウジングの遠位端の中に捕捉するように構成された、少なくとも１つの液体捕捉特徴部を有する。ストリップポートコネクタはまた、検査計ハウジング内に配置された近位部分を有し、この近位部分は、ストリップポート開口部内に受容された分析検査ストリップと動作可能に電気的に接触するように構成された電気コネクタピンを有する。
【０００８】
本発明による検査計は、ストリップポート開口部を介して検査計に意図せず流入する自由液体（即ち、遊離した液体又は非結合液体）が、上部ガイド面から離れる方向に方向付けられ、かつストリップポートコネクタの遠位部分及び／又は検査計ハウジングの遠位端の中に捕捉されるという点で有益である。したがって、かかる捕捉された液体がストリップポートコネクタの近位部分又は検査計の残りの部分に流入し、例えば、電気コネクタピン間に電気的短絡を引き起こすことによって検査計の動作を有害に妨げるのを防止する。この関連で、検査計は、通常、クリーニング液で濡らした又は湿らせた布を用いて適用されるリーニング液を使用して、臨床の場又は他の場所でクリーニングされることに留意すべきである。こうしたクリーニングの間、例えば、布から絞り出されることによって布から分離したクリーニング液は、ストリップポート開口部に意図せず流入する可能性があり、流入するのを防止しない場合には、近位部分に移動して電気的問題及び関連した検査計の誤差を引き起こす可能性がある。こうした「自由」クリーニング液は、上部ガイド面から離れる方向に方向付けられて、本発明の実施形態による検査計のストリップポートコネクタの遠位部分及び／又は検査計ハウジング遠位端の中に捕捉される「自由液体」の例である。
【０００９】
図１〜図６Ｃを参照すると、体液試料中の検体の判定のための検査計１００は、ハウジング外側表面１０４と遠位端１０６とを有する検査計ハウジング１０２、及び検査計ハウジング１０２の遠位端１０６と一体化されるストリップポートコネクタ１０８を備える。
【００１０】
検査計ハウジング１０２は、例えば、ポリカーボネート材料、熱可塑性エラストマー材料、アクリロニトリル・ブタジエン・スチレン（ＡＢＳ）材料、及びこれらの組み合わせなどの任意の好適な材料で形成され得る。
【００１１】
ストリップポートコネクタ１０８は遠位部分１１０を含み、検査計ハウジング１０２のハウジング外側表面１０４は、ハウジング遠位表面１１２を有する。更に、ハウジング遠位表面１１２は内部を通るストリップポート開口部１１４を有し、この開口部１１４は、分析検査ストリップＴＳ（特に図１及び図５を参照のこと）を受容するように構成されている。
【００１２】
ストリップポートコネクタ１０８はまた、ストリップポート開口部１１４に受容された分析検査ストリップＴＳが上部ガイド面１１８ａ及び１１８ｂによって案内されかつ支持されるように構成された、２つの上部ガイド面１１８ａ及び１１８ｂを有する分析検査ストリップガイド１１６を含む。分析検査ストリップガイド１１６はまた、分析検査ストリップＴＳがストリップポート開口部１１４に受容されたり取り出されたりするときに、分析検査ストリップＴＳを案内するように構成された側壁１２０及び１２２を含む。側壁１２０及び１２２はまた、検査計１００の使用中の、ストリップポートコネクタ１０８内部の分析検査ストリップの、意図せぬ及び有害な可能性のある横方向への動き（図３の斜視図の左から右及び右から左）を防止する。
【００１３】
図１〜図６Ｃの実施形態では、上部ガイド面１１８ａ及び１１８ｂは、それぞれ、ガイドレール１２４ａ及び１２４ｂ（「リブ」１２４ａ及び１２４ｂとも呼ばれる）の上面である。更に、ガイドレール１２４ａ及び１２４ｂは、間隙１２６によって互いに分離され、かつ間隙１２８及び１３０によって側壁１２０及び１２２から分離される（特に図４を参照のこと）。
【００１４】
間隙１２６、間隙１２８、及び間隙１３０は、ストリップポートコネクタ１０８の開口部に意図せず流入する自由（遊離した、非結合の）液体を、上部ガイド面１１８ａ及び１１８ｂから離れる方向に方向付けて、かかる方向付けられた液体をストリップポートコネクタ１０８の遠位部分１１０及び／又は検査計ハウジング１０２の遠位端１０６の中で捕捉（即ち、拘束、保持）するように構成された、液体捕捉特徴部である。図４は、リブ１２４ａと側壁１２０との間の間隙１２８に捕捉された液体（ＥＬ）、及びリブ１２４ｂと側壁１２２との間の間隙１３０に捕捉された液体（ＥＬ）を示す。
【００１５】
こうした方向付け及び捕捉を促進するため、リブ１２４ａ及び１２４ｂは、例えば、ＡＢＳ材料、ポリカーボネート材料、親水性材料、熱可塑性ポリマー材料、ガラス繊維強化熱可塑性ポリマー材料、及びこれらの組み合わせなどの任意の好適な材料で形成され得る。更に、間隙１２６、間隙１２８、及び間隙１３０の全て又はいずれかの幅を、自由液体を間隙の中でかつ上部ガイド面１１８ａ及び１１８ｂから離れる方向に方向付ける（即ち、引き込む）毛細管力をもたらすように予め定めておくことができる。例えば、間隙１２６は、０．２５ｍｍ〜２．００ｍｍの範囲の幅を有することができ、間隙１２８及び１３０は、０．２５ｍｍ〜２．００ｍｍの範囲の幅を有することができる。
【００１６】
ストリップポートコネクタ１０８は、検査計ハウジング１０２内に配置される近位部分１３２も含む。近位部分１３２は、電気コネクタ１３４ａ及び電気コネクタ１３４ｂを含む。電気コネクタ１３４ａ及び１３４ｂは、ストリップポート開口部に受容れた分析検査ストリップと動作可能に電気的に接触するように構成される（例えば、図５参照）。ストリップポートコネクタの遠位部分における液体の方向付け及び捕捉を促進するため、遠位部分１１０は、間隙１３６によって近位部分から分離され（図５参照）、間隙１３８によって検査計ハウジング１０２から分離される（図５参照）。
【００１７】
特に図５を参照すると、検査計１００において、ハウジング遠位表面１１２は平らな外側表面である。更に、この平らなハウジング遠位表面は、ストリップポートコネクタ開口部に受容される分析検査ストリップＴＳに対して鋭角アルファ（α）で配置される。鋭角αは、検査計１００にストリップポート開口部１１４がアクセスしやすい（開いた）形状を有する構成をもたらす。言い換えれば、試験ストリップ開口部１１４の最遠位部分は、３辺のみで囲まれているので（特に図２及び４参照）、検査計１００の上面（図５の向きで）からストリップポート開口部１１４にアクセスしやすい。このようなアクセスしやすい形状により、ユーザーは、クリーニング液で湿った布を４辺で囲まれた狭い開口部に押し込み、それによって布から液体が絞り出されてストリップポート開口部内に自由液体を形成することなく、検査計及びストリップポート開口部をクリーニングできる。角度アルファ（α）は、例えば、２５度から９０度未満の範囲内であり得る。
【００１８】
図７は、本発明の実施形態による検査計で使用することができる分析検査ストリップガイド２０８の簡略上面図である。分析検査ストリップガイド２０８は、分析検査ストリップを案内及び支持するように構成された２つの上部ガイド面２１８ａ及び２１８ｂを含む。分析検査ストリップガイド２０８はまた、分析検査ストリップＴＳを案内するように構成された側壁２２０及び２２２と、６つの半球形突出部２６０とを含む。
【００１９】
図７の実施形態では、上部ガイド面２１８ａ及び２１８ｂは、それぞれ、ガイドレール２２４ａ及び２２４ｂの上面である。更に、ガイドレール２２４ａ及び２２４ｂは、間隙２２６によって互いに分離され、間隙２２８及び２３０によってそれぞれ側壁２２０及び２２２から分離される。
【００２０】
間隙２２６、間隙２２８、及び間隙２３０、並びに半球形突出部２６０は、関連ストリップポートコネクタ開口部（図７に示さず）に意図せず流入する自由（遊離した、非結合の）液体を、上部ガイド面２１８ａ及び２１８ｂから離れる方向に方向付け、かつ、かかる方向付けられた液体を、関連ストリップポートコネクタの遠位部分（図７に示さず）及び／又は関連検査計ハウジングの遠位端（図７に示さず）の中に捕捉（即ち、拘束、保持）するように構成された、液体捕捉特徴部である。
【００２１】
説明のみを目的として２つのガイドレール及び６つの半球形突出部が図７に示されているが、任意の好適な数のガイドレール及び突出部、並びに任意の好適に形成された突出部を採用することができる。
【００２２】
広くは、本発明による、体液試料（例えば、全血試料）中の検体（グルコースなど）の判定において分析検査ストリップと共に使用するための検査計を使用する方法は、ストリップポート開口部を有する検査計を液体でクリーニングすることを含む。かかるクリーニング工程では、検査計は、検査計の検査計ハウジングの遠位端に組み込まれ、かつ液体捕捉特徴部を有する分析検査ストリップガイドを備えた、ストリップポートコネクタを有する。更に、液体捕捉特徴部は、（ｉ）クリーニング中にストリップポート開口部に流入する自由液体を、例えば、毛細管力、重力又はこれらの組み合わせを用いて分析検査ストリップガイドの上部ガイド面から離れる方向に方向付け、（ｉｉ）こうした方向付けられた液体を、ストリップポートコネクタの遠位部分及び／又は検査計ハウジングの遠位端の中に捕捉する、ように構成される。上記方法はまた、ストリップポートコネクタに受容された分析検査ストリップを使用して体液試料中の検体を判定するために検査計を使用することを含む。
【００２３】
本発明の実施形態による方法は、検査計を検体の判定で使用する前に検査計をクリーニングできるようにすると同時に、クリーニングで使用した流体を、この流体が害を及ぼす可能性があるストリップポートコネクタの部分に移動させることができる経路を最小限抑えることができるようにするという点で有益である。例えば、クリーニング液で湿った布を使用してストリップポートコネクタをクリーニングする間、自由クリーニング液（即ち、布から分離しているクリーニング液）は、ストリップポート開口部を介してストリップポートコネクタの中に意図せず流入する可能性がある。しかしながら、本発明の実施形態による方法では、そうした自由液体は、上部ガイド面から離れる方向に方向付けられ、かつ試験ストリップコネクタの遠位部分及び／又は検査計のハウジングの遠位部分の中に安全に捕捉される。
【００２４】
図８は、体液試料（例えば、全血試料）中の検体（グルコースなど）の判定において分析検査ストリップと共に使用するための検査計を使用するための方法８００の段階を示すフローチャートである。方法８００の工程８１０において、ストリップポート開口部を備えた検査計は、液体でクリーニングされる。このクリーニング工程では、検査計は、検査計の検査計ハウジングの遠位端に組み込まれたストリップポートコネクタを有している。更に、ストリップポートコネクタは、クリーニング中にストリップポート開口部に流入する自由液体を分析検査ストリップガイドの少なくとも１つの上部ガイド面から離れる方向に方向付け、かつ、このように方向付けられた液体を、ストリップポートコネクタの遠位部分及び検査計ハウジングの遠位端の少なくとも一方の中に捕捉するように構成された少なくとも１つの液体捕捉特徴部を有する分析検査ストリップガイドを含む。
【００２５】
工程８１０は、例えば、クリーニング液、及びクリーニング液で濡らされている又は湿らされている布を使用して達成され得る。典型的なクリーニング液としては、次亜塩素酸ナトリウムの１０％水溶液、過酸化水素水溶液、過酸化水素水溶液、クロルヘキシジン溶液、７０％イソプロピルアルコール、及びエチルアルコールが挙げられるが、これらに限定されない。
【００２６】
方法８００はまた、ストリップポートコネクタに受容された分析検査ストリップを使用して体液試料中の検体を判定するために、検査計を利用することを含む（図８の工程８２０を参照のこと）。
【００２７】
いったん本開示を理解したら、当業者は、方法８００を含む本発明の実施形態による方法が、本発明の実施形態による、本明細書に記載の検査計の手法、便益及び特徴のいずれかを取り入れるように容易に修正され得ることを認識するであろう。例えば、方法８００において、ストリップポートコネクタは、（ｉ）ハウジング外側表面と隣接する外側表面を有する遠位部分であって、該遠位部分が分析検査ストリップを受容するように構成されたストリップポート開口部を有する、遠位部分と、（ｉｉ）検査計ハウジング内に配置される近位部分であって、該近位部分はストリップポート開口部に受容された分析検査ストリップと動作可能に電気的に接触するように構成された少なくとも１つの電気コネクタピンを有する、近位部分と、を含み得る。更に、分析検査ストリップガイドの上部ガイド面は、ストリップポート開口部に受容された分析検査ストリップが、少なくとも１つの上部ガイド面によって案内及び支持されるように構成され得る。
【００２８】
以上、本発明の好ましい実施形態を示し、説明したが、このような実施形態は、あくまで一例として与えられたものである点は当業者には明らかであろう。当業者であれば、本発明から逸脱することなく、多くの変形、変更、及び置換が想到されるであろう。本発明を実施するうえで本明細書で述べた実施形態には、様々な代替例が用いられ得る点は理解されるべきである。以下の「特許請求の範囲」は、本発明の範囲を定義するとともに特許請求の範囲に含まれる装置及び方法、並びにそれらの均等物をこれによって網羅することを目的としたものである。
【００２９】
〔実施の態様〕
（１）  体液試料中の検体の判定のために分析検査ストリップと共に使用するための検査計であって、
ハウジング外側表面と遠位端とを有する検査計ハウジングであって、該ハウジング外側表面は、ストリップポート開口部が内部を通るハウジング遠位表面を有し、該ストリップポート開口部は分析検査ストリップを受容するように構成される、検査計ハウジングと、
前記検査計ハウジングの前記遠位端に組み込まれたストリップポートコネクタであって、
分析検査ストリップガイドを備える遠位部分であって、前記分析検査ストリップガイドが、
前記ストリップポート開口部に受容された分析検査ストリップを、案内及び支持するように構成される少なくとも１つの上部ガイド面と、
前記ストリップポートコネクタ開口部に流入する自由液体を、前記上部ガイド面から離れる方向に方向付け、かつ、かかる方向付けられた液体を、前記ストリップポートコネクタの前記遠位部分及び前記検査計ハウジングの前記遠位端の少なくとも一方の中に捕捉するように構成された、少なくとも１つの液体捕捉特徴部と、を含む、遠位部分と、
前記検査計ハウジング内に配置される近位部分であって、該近位部分は前記ストリップポート開口部内に受容され、かつ前記少なくとも１つの上部ガイド面によって支持される分析検査ストリップと動作可能に電気的に接触するように構成された少なくとも１つの電気コネクタピンを有する、近位部分と、を含む、ストリップポートコネクタと、を含む検査計。
（２）  前記分析検査ストリップガイドが、前記少なくとも１つの上部ガイド面を有する少なくとも１つのガイドレールを含み、
前記少なくとも１つの液体捕捉特徴部が前記ガイドレールに隣接する間隙であり、該間隙は、前記ストリップポート開口部に流入する自由液体を、前記ガイドレールの前記上部ガイド面から離れる方向に方向付け、かつ、かかる方向付けられた液体を、前記ストリップポートコネクタの前記遠位部分及び前記検査計ハウジングの前記遠位端の少なくとも一方の中に捕捉するように構成される、実施態様１に記載の検査計。
（３）  前記分析検査ストリップガイドが、前記自由液体の前記方向付けを容易にするように構成された少なくとも１つの半球形突出部を更に含む、実施態様２に記載の検査計。
（４）  前記少なくとも１つの半球形突出部が、前記少なくとも１つのガイドレール上に配置される、実施態様３に記載の検査計。
（５）  前記分析検査ストリップガイドが、少なくとも１つの側壁を更に含む、実施態様２に記載の検査計。
【００３０】
（６）  前記間隙が、前記ガイドレールと前記側壁との間にある、実施態様５に記載の検査計。
（７）  前記ハウジング外側表面が平らな外側表面である、実施態様１に記載の検査計。
（８）  前記ハウジング外側表面が、前記ストリップポート開口部に受容された分析検査ストリップに対して鋭角で配置される、平坦傾斜ハウジング外側表面（flat angled housing outer surface）である、実施態様７に記載の検査計。
（９）  前記平坦傾斜ハウジング外側表面と、前記ストリップポート開口部との組み合わせが、開いた形状を有するストリップポート開口部を画成する、実施態様８に記載の検査計。
（１０）  前記液体捕捉特徴部が、前記ストリップポート開口部に流入する自由液体を、少なくとも毛細管力を用いて前記上部ガイド面から離れる方向に方向付けるように構成される、実施態様１に記載の検査計。
【００３１】
（１１）  前記液体捕捉特徴部が、前記ストリップポートコネクタ開口部に流入する自由液体を、少なくとも重力を用いて前記上部ガイド面から離れる方向に方向付けるように構成される、実施態様１に記載の検査計。
（１２）  前記検査計及び分析検査ストリップが、全血試料中のグルコースを判定するように構成される、実施態様１に記載の検査計。
（１３）  前記分析検査ストリップが、電気化学に基づく分析検査ストリップである、実施態様１２に記載の検査計。
（１４）  体液試料中の検体の判定において分析検査ストリップと共に使用するための検査計を利用するための方法であって、
液体の付いたストリップポート開口部を含む検査計をクリーニングすることであって、前記検査計が、前記検査計の検査計ハウジングの遠位端に組み込まれたストリップポートコネクタを有し、前記ストリップポートコネクタが、少なくとも１つの液体捕捉特徴部を有する分析検査ストリップガイドを含み、前記液体捕捉特徴部が、クリーニング中に前記ストリップポート開口部に流入する自由液体を、前記分析検査ストリップガイドの少なくとも１つの上部ガイド面から離れる方向に方向付け、かつかかる方向付けられた液体を、前記ストリップポートコネクタの遠位部分及び前記検査計ハウジングの前記遠位端の少なくとも一方の中に捕捉するように構成される、ことと、
前記ストリップポートコネクタに受容された分析検査ストリップを使用して体液試料中の検体を判定するために、前記検査計を利用することと、を含む方法。
（１５）  前記ストリップポートコネクタの前記遠位部分が、前記分析検査ストリップガイドを備え、
前記ストリップポートコネクタが、前記検査計ハウジング内に配置される近位部分を更に含み、該近位部分が、前記ストリップポート開口部に受容された分析検査ストリップと動作可能に電気的に接触するように構成された少なくとも１つの電気コネクタピンを有し、
前記分析検査ストリップガイドの前記上部ガイド面が、前記ストリップポート開口部に受容された前記分析検査ストリップが、前記少なくとも１つの上部ガイド面によって案内及び支持されるように構成される、実施態様１４に記載の方法。
【００３２】
（１６）  前記分析検査ストリップガイドが、前記少なくとも１つの上部ガイド面を有する少なくとも１つのガイドレールを備え、
前記少なくとも１つの液体捕捉特徴部が、前記ガイドレールに隣接する間隙であり、該間隙は、前記ストリップポート開口部に流入する自由液体を、前記ガイドレールの前記上部ガイド面から離れる方向に方向付け、かつ、かかる方向付けられた液体を、前記ストリップポートコネクタの前記遠位部分及び前記検査計ハウジングの前記遠位端の少なくとも一方の中に捕捉するように構成される、実施態様１５に記載の方法。
（１７）  前記分析検査ストリップガイドが、前記自由液体の前記方向付けを容易にするように構成された少なくとも１つの半球形突出部を更に含む、実施態様１５に記載の方法。
（１８）  前記少なくとも１つの半球形突出部が、前記少なくとも１つのガイドレール上に配置される、実施態様１７に記載の方法。
（１９）  前記分析検査ストリップガイドが、少なくとも１つの側壁を更に含む、実施態様１６に記載の方法。
（２０）  前記間隙が、前記ガイドレールと前記側壁との間にある、実施態様１９に記載の方法。
【図１】
2014514546.tif 000003
【図２】
2014514546.tif 000004
【図３】
2014514546.tif 000005
【図４】
2014514546.tif 000006
【図５】
2014514546.tif 000007
【図６Ａ】
2014514546.tif 000008
【図６Ｂ】
2014514546.tif 000009
【図６Ｃ】
2014514546.tif 000010
【図７】
2014514546.tif 000011
【図８】
2014514546.tif 000012
【国際調査報告】
2014514546.tif 000013
2014514546.tif 000014
2014514546.tif 000015
2014514546.tif 000016